(57)【要約】【課題】オストリッチ（駝鳥）やグース（鵞鳥）等の天然に産する卵の殻に由来するエッグシェルアートと、生花又は造花をアレンジして構成したブーケとを密接に融合させたエッグシェルブーケを提供する。【解決手段】自立可能なスタンド４の上端部に、エッグシェルアートによって適宜デザインが施された卵殻部３を取付ける。当該スタンド４の一側面下部と上部を連絡するように格子状乃至多段状をなすブーケフレーム６を取付ける。当該ブーケフレーム６を利用して生花又は造花２をアレンジして構成したブーケ部１を取付けるようにした。【選択図】図２
0003117088.tif 000002
【実用新案登録請求の範囲】
【請求項１】
生花又は造花をアレンジして構成したブーケ部と、エッグシェルアートによって適宜デザインが施された卵殻部とを一体的に結合してなることを特徴とするエッグシェルブーケ。
【請求項２】
自立可能なスタンドの上端部に、エッグシェルアートによって適宜デザインが施された卵殻部を取付けると共に、前記スタンドの一側面下部と上部を連絡するようにブーケフレームを取付け、当該ブーケフレームを利用して生花又は造花をアレンジして構成したブーケ部を取り外し自在に付設してなることを特徴とするエッグシェルブーケ。
【請求項３】
前記スタンドの中心部に設けられた通孔内に電源ケーブルを挿通し、スタンドの上端部に取付けてある卵殻部内に電源ケーブルの先端部を通し、ソケット類を介して卵殻部内にＬＥＤ、電球、あるいはエレクトロルミネッセンスのような光源体を配設し、当該光源体によって卵殻部内を照射するようにしたことを特徴とする請求項２記載のエッグシェルブーケ。
【請求項４】
エッグシェルアートによって適宜デザインが施された卵殻部の表面適所に、名前や記念日のような適宜文字、数字、記号等を刻設形成した薄肉状部を設けてなる請求項２又は請求項３記載のエッグシェルブーケ。
【考案の詳細な説明】
【技術分野】
【０００１】
本考案はオストリッチ（駝鳥）やグース（鵞鳥）等の天然に産する卵の殻に由来するエッグシェルアートと、生花又は造花をアレンジして構成したブーケとを密接に融合させたエッグシェルブーケに関する。
【背景技術】
【０００２】
オストリッチやグース等の卵殻の表面に染・顔料を塗布したり、宝飾類を取付けたり、あるいは専用の切削工具類を用いて卵殻を部分的に切り欠くなど装飾を施し、諸種の祭り事等の際に贈呈したり、交換するといった習慣は欧米を中心に古くから存在していたと云われている。一方、次に示す特許文献１にも示されているように、結婚披露宴等の祝い事の際には数種類の生花を美麗にアレンジして構成したブーケが贈られることが多い。
【特許文献１】特開平９−３１６７２１公報
【考案の開示】
【考案が解決しようとする課題】
【０００３】
しかしながら、従来生花又は造花をアレンジして構成したブーケ部と、エッグシェルアートによって適宜デザインが施された卵殻部とを一体的に融合させて用いる例は知られていない。ブーケおよび卵殻の両者共、主に慶事に用いられるものではあるが、これまでは別個独立して用いられてきた。
【０００４】
また、造花の場合はともかくとして生花を用いたブーケの場合は、プリザーブドフラワーの場合を除いて数日しかもたず、想い出を喚起させるインテリアグッズとしては経済的にも不利であるという欠点があった。一方、エッグシェルアートによって適宜デザインが施された卵殻は保存性が良好であり、長期にわたって想い出を想起させる効用がある。
【０００５】
そこで、本考案の第一の目的は、生花又は造花をアレンジして構成したブーケ部と、エッグシェルアートによって適宜デザインが施された卵殻部とを一体的に融合させて従来にない斬新で慶事に用いて好適なオーナメントを提供することにある。
【０００６】
また、本考案の第二の目的は、卵殻部内にＬＥＤ、電球、あるいはエレクトロルミネッセンスのような光源体を配設し、当該光源体によって卵殻部内を照射することができるようになしたエッグシェルブーケを提供することにある。
【課題を解決するための手段】
【０００７】
上記目的を達成するための本考案の構成を詳述すれば、請求項１に係る考案は、生花又は造花をアレンジして構成したブーケ部と、エッグシェルアートによって適宜デザインが施された卵殻部とを一体的に結合してなることを特徴とするエッグシェルブーケであり、これによって、従来にない新規な慶事用オーナメントを提供することができる。
【０００８】
請求項２に係る考案は、自立可能なスタンドの上端部に、エッグシェルアートによって適宜デザインが施された卵殻部を取付けると共に、前記スタンドの一側面下部と上部を連絡するようにブーケフレームを取付け、当該ブーケフレームを利用して生花又は造花をアレンジして構成したブーケ部を取り外し自在に付設してなることを特徴とするエッグシェルブーケであり、これによって、ブーケ部と、卵殻部との融合が容易となる。
【０００９】
特に、ブーケフレームを構成する線材を多段状乃至格子状等とすることによってブーケ部を構成する生花又は造花のアレンジの自由度が向上し、従来にない新感覚のブーケを提供することが可能となる。また、ブーケフレームは合成樹脂皮膜を施した針金のような汎用の留め付け材等を用いてスタンドの一側面に取付けることができ、慶事終了後は簡単にブーケ部を卵殻部を伴ったスタンドから外すことも可能である。
【００１０】
次に、請求項３に係る考案は、前記スタンドの中心部に設けられた通孔内に電源ケーブルを挿通し、スタンドの上端部に取付けてある卵殻部内に電源ケーブルの先端部を通し、ソケット類を介して卵殻部内にＬＥＤ、電球、あるいはエレクトロルミネッセンスのような光源体を配設し、当該光源体によって卵殻部内を照射するようにしたことを特徴とする請求項２記載のエッグシェルブーケである。
【００１１】
これによって、従来には見られないきわめて興趣に富んだエッグシェルブーケを提供することができ、ブーケフレームを用いて季節の生花を適宜アレンジし、且つ卵殻部内の光源体を輝かせることによって慶事の想い出を何時までも持続させることができる。
【００１２】
さらに、請求項４に係る考案は、エッグシェルアートによって適宜デザインが施された卵殻部の表面適所に、名前や記念日のような適宜文字、数字、記号等を刻設形成した薄肉状部を設けてなる請求項２又は請求項３記載のエッグシェルブーケであり、卵殻部内の光源体を出力させることによって、挙式者の名前や記念日等に由来する文字や記号等の薄肉状部の輝度を高めることができる。
【考案の効果】
【００１３】
本考案に係るエッグシェルブーケは、以上のようにオストリッチやグース等の天然に産する卵の殻に由来するエッグシェルアートと、生花又は造花をアレンジして構成したブーケとを密接に融合させたものであり、従来にない斬新な慶事用オーナメントを提供することができる。また、卵殻部内に光源体を配設した場合には、興趣に富み、慶事関係者の選択肢をこれまでになく拡大することができる。
【考案を実施するための最良の形態】
【００１４】
以下、本考案に係るエッグシェルブーケの実施形態の一例について、図面に基づき詳細に説明する。
【００１５】
図１は本考案エッグシェルブーケの一実施形態を示す正面図、図２は本考案エッグシェルブーケの一実施形態を示す背面図、図３はブーケ部を取り外した卵殻部を伴ったスタンド及びブーケフレームの詳細を示す側面図、図４は図３のＡ−Ａ断面図である。
【００１６】
図中１は複数種類の生花又は造花２をアレンジして構成したブーケ部であり、３はエッグシェルアートによって適宜デザインが施されたオストリッチ、グース、レアー（Ｒｈｅａ）、エミュ（Ｅｍｕ）のような天然に産する卵殻に由来する卵殻部を示す。
【００１７】
この卵殻部３には専用の切削工具類によって模様が施されたり、部分的に切り欠かれたり、染・顔料等によって着色が施されたり、あるいは宝飾類が取付けられる場合もある。本考案は、基本的にはこのようなエッグシェルアートによって適宜デザインが施された卵殻部３と、生花又は造花２をアレンジして構成したブーケ部１とを一体的に結合して構成したものである。
【００１８】
次に、図中４は下端に台座部５を形成した自立可能なスタンドであり、当該スタンド４の上端部に、エッグシェルアートによって適宜デザインが施された卵殻部３が接着等の手段で取付けられる。６は前記スタンド４の一側面下部と上部を連絡するように取付けられる金属細線または合成樹脂によって作成されたブーケフレームである。
【００１９】
当該ブーケフレーム６は、図２乃至図４に示すように、生花又は造花２を取り付け易いように格子状乃至多段状をなしており、当該ブーケフレーム６を利用して生花又は造花をアレンジして構成したブーケ部１を取付けるようにする。なお、取付けにあたっては例えば、外周部を合成樹脂皮膜で覆った針金のような汎用の留め付け材を用いて生花又は造花２が落下しないように確実にブーケフレーム６に保持させる。
【００２０】
前記スタンド４は、その長手方向中心部に通孔７が設けられており、この通孔７を利用して電源ケーブル８を挿通させ、スタンド４の上端部に取付けてある前記卵殻部３内に電源ケーブル８の先端部を通し、ソケット類９を介して卵殻部３内にＬＥＤ、電球、あるいはエレクトロルミネッセンスのような光源体１０を配設し、当該光源体１０によって卵殻部３内を照らすようにすることもできる。
【００２１】
卵殻部３は厚さが僅か０．２６〜０．３８ｍｍ程度であり、内部で光源体１０を点灯させると、薄明るく輝いて非常に興趣に富んだランプとしての機能を奏する。特に、エッグシェルアートによって適宜デザインが施された卵殻部３の表面適所に、名前や記念日のような適宜文字、数字、記号等を刻設形成した薄肉状部１１を設けた場合には、名前や記念日等の薄肉状部１１が他の部分より明るく輝くこととなり、慶事の想い出を何時までも持続させることができる。
【００２２】
なお、スタンド４は下端に台座部５を形成してあって安定した状態で自立が可能であり、慶事後においては、ブーケ部１を取り外して季節にあった生花等をブーケフレーム６を利用して取付けることによってエッグシェルアートを施した卵殻部３と共に長期にわたり楽しむことができる。
【図面の簡単な説明】
【００２３】
【図１】本考案エッグシェルブーケの一実施形態を示す正面図である。
【図２】本考案エッグシェルブーケの一実施形態を示す背面図である。
【図３】ブーケ部を取り外したスタンド及びブーケフレームの詳細を示す側面図である。
【図４】図３のＡ−Ａ断面図である。
【符号の説明】
【００２４】
１：ブーケ部
２：生花又は造花
３：卵殻部
４：スタンド
５：台座部
６：ブーケフレーム
７：通孔
８：電源ケーブル
９：ソケット類
１０：光源体
１１：薄肉状部
【図１】
0003117088.tif 000003
【図２】
0003117088.tif 000004
【図３】
0003117088.tif 000005
【図４】
0003117088.tif 000006